(57)【要約】【課題】市場における商品の受け渡し所の割り振りに柔軟性をもたせる。【解決手段】受け渡し所を複数のブロックに割り振り、各ブロックを特定できる置き場マップを設定しておき、買参入が市場に来場した時に、買参入の当日の入場登録をしておき（Ｓ１）、競りによる商品落札があったとき、当該商品を競り落とした買参入が当日最初の落札か否かをチェックし（Ｓ３）、最初の落札である場合、置き場マップを元に空きの置き場を検索し、空きの置き場を当該買参入の置き場として新規登録し（Ｓ４）、当該商品に対する登録置き場のタグを当該落札商品に添付したときに、当該商品を落札した買参入の落札量を足し込み（Ｓ６）、落札量について、当該買参入の置き場エリアが満杯か否かをチェックし（Ｓ７）、置き場エリアが満杯の場合、置き場マップを元に、次の空置き場を検索し、当該買参入に対する置き場ブロックを追加する（Ｓ８）。【選択図】  図１
2004362365.tif 000002
【特許請求の範囲】
【請求項１】
入荷した商品を競りにかけ、買参入が競り落とした商品を商品受け渡し所に割り振った買参入別のブロックに配分する卸売市場の業務を、コンピュータ設備によって支援する卸売市場における商品の受け渡し場所割り当て処理方法であって、
前記コンピュータ設備は、商品受け渡し所の割り振り手順として、
前記受け渡し所を複数のブロックに割り振り、各ブロックを特定できる置き場マップを設定しておく手順と、
買参入が市場に来場した時に、買参入の当日の入場登録をしておく手順と、
競りによる商品落札があったとき、当該商品を競り落とした買参入が当日最初の落札か否かをチェックする手順と、
最初の落札である場合、前記置き場マップを元に空きの置き場を検索し、空きの置き場を当該買参入の置き場として新規登録する手順と、
当該商品に対する登録置き場のタグを当該落札商品に添付したときに、当該商品を落札した買参入の落札量を足し込む手順と、
前記落札量について、当該買参入の置き場エリアが満杯か否かをチェックする手順と、
前記チェックで、置き場エリアが満杯の場合、前記置き場マップを元に、次の空置き場を検索し、当該買参入に対する置き場ブロックを追加する手順とを備えたことを特徴とする卸売市場における商品の受け渡し場所割り当て処理方法。
【請求項２】
前記受け渡し所に割り振るブロックは、画一化したブロック構成、または大小を含むブロック構成とし、大口の買参入に大ブロックを優先的に割り振ることを特徴とする請求項１に記載の卸売市場における商品の受け渡し場所割り当て処理方法。
【発明の詳細な説明】
【０００１】
【発明の属する技術分野】
本発明は、花き市場や青果市場、魚市場などの卸売市場の業務をコンピュータ処理で支援する業務支援システムに係り、特に競り終えた商品の受け渡し場所割り当て処理方法に関する。
【０００２】
【従来の技術】
例えば、現在の花き市場における業務支援システムは、コンピュータ処理によって、以下の業務内容を支援している（例えば、特許文献１参照）。
【０００３】
・商品の競り（販売）を支援
・競り以外の花き市場内の業務を支援
上記の「競り以外の業務支援」は主に商品入荷処理、競り商品の受け渡し処理、各種伝票・タグ発行処理などがある。
【０００４】
図２は、従来の業務支援システムの要部構成図を示す。システムは、データベースをもつコンピュータ本体１を中枢部として市場内ネットワークにより競り操作装置２や応札機３１〜３Ｋなど各種の端末装置が結合される。他の端末装置には、バーコードリーダ等の印字読取り装置や入荷シールプリンタを付属させた入荷端末、競り業務全般の帳票・伝票の発行処理を行う帳票・伝票発行装置などを設ける。
【０００５】
競り操作装置２は、競り操作卓と表示器とプリンタとバーコードリーダおよび競り表示器などを備え、多数の応札機３１〜３Ｋとも通信手段で結合され、市場内での競りに必要な情報入出力を可能にすると共に、本体１との競り情報の入出力を可能にする。
【０００６】
このような構成になる花き市場の業務支援システムによる競りと商品の受け渡し処理は以下のようになる。
【０００７】
まず、花き市場における商品は、各生産者または出荷者（以下生産者と呼ぶ）によって花の種類別に所定の本数単位でダンボール、トレーなどの梱包ケースに入れられ、生産者から花き市場へ出荷される。そして、花き市場において、各入荷商品Ｆ１には入荷タグ（またはシール）Ｔ１が取付られ、市場内花き集荷場４に集荷される。
【０００８】
集荷場４に集荷された商品はベルトコンベヤ等で競り場に順次搬送され、競り人による競り操作装置２の操作と買参入による応札機３１〜３Ｋの操作により各商品が競り落とされる。競り落とされた商品Ｆ２には落札タグ（またはシール）Ｔ２が取付られて市場内花き配分場５に搬送される。
【０００９】
配分場５では、商品に取付けられた落札タグＴ２を基に、買参入別に予め割り振られた花き受け渡し所６に商品を振り分け搬送する。図示の例では、受け渡し所６は、縦横に（Ａ〜Ｄ）×（１〜Ｎ）の画一化したブロックに仕切られ、各商品について競り落とした買参入に割り振ったブロックに搬送される。買参入は、自家用トラックや依頼した運送業者のトラックを使用して、受け渡し所６の自ブロック内の商品を受け取り、自身の小売店等に搬送する。
【００１０】
なお、花き集荷場４での集荷処理や、配分場５、受け渡し所６での配分処理は、コンピュータ本体１による自動処理や市場担当者による手作業でなされている。
【００１１】
【特許文献１】
特開２００２−２７９１１６
【００１２】
【発明が解決しようとする課題】
従来システムにおいて、買参入に対する商品の受け渡し所６の割り当ては、競りに参加している買参入を市場関係者が確認し、競りが始まる前までに経験的または慣習的に決定している。このため、以下のような問題があった。
【００１３】
（１）競りを開始した時点から買参入に対する受け渡し場所を決定することになり、その管理が煩雑になるし、管理ミスで競り落とした商品の紛失や他の買参入に受け渡されてしまうなどの問題があった。
【００１４】
（２）予め確保しておいた受け渡し所が商品で一杯になった場合、他の置き場所の割り当てができないため、受け渡し所や配分場に商品があふれ、商品の傷みや競りの中断が発生する恐れがある。
【００１５】
（３）上記の問題を解消するため、受け渡し所を大きくすることは、限られた市場内のスペース配分等に問題が生じる。
【００１６】
以上までの各種の課題は、花き市場に限らず、青果市場や魚市場など各種の卸売市場の業務をコンピュータ設備で行う場合に存在する。
【００１７】
本発明の目的は、商品の受け渡し所の割り振りをコンピュータ処理で柔軟的に行うことで、上記の各課題を解決した卸売市場における商品の受け渡し場所割り当て処理方法を提供することにある。
【００１８】
【課題を解決するための手段】
本発明は、前記の課題を解決するため、商品の受け渡し所の割り振りとして、市場に入場した買参入に限ること、競りで商品を落札した買参入順に空き置き場を検索して決定すること、空き置き場が満杯になったときに次の空き置き場を追加するようにしたもので、以下の方法を特徴とする。
【００１９】
（１）入荷した商品を競りにかけ、買参入が競り落とした商品を商品受け渡し所に割り振った買参入別のブロックに配分する卸売市場の業務を、コンピュータ設備によって支援する卸売市場における商品の受け渡し場所割り当て処理方法であって、
前記コンピュータ設備は、商品受け渡し所の割り振り手順として、
前記受け渡し所を複数のブロックに割り振り、各ブロックを特定できる置き場マップを設定しておく手順と、
買参入が市場に来場した時に、買参入の当日の入場登録をしておく手順と、
競りによる商品落札があったとき、当該商品を競り落とした買参入が当日最初の落札か否かをチェックする手順と、
最初の落札である場合、前記置き場マップを元に空きの置き場を検索し、空きの置き場を当該買参入の置き場として新規登録する手順と、
当該商品に対する登録置き場のタグを当該落札商品に添付したときに、当該商品を落札した買参入の落札量を足し込む手順と、
前記落札量について、当該買参入の置き場エリアが満杯か否かをチェックする手順と、
前記チェックで、置き場エリアが満杯の場合、前記置き場マップを元に、次の空置き場を検索し、当該買参入に対する置き場ブロックを追加する手順とを備えたことを特徴とする。
【００２０】
（２）前記受け渡し所に割り振るブロックは、画一化したブロック構成、または大小を含むブロック構成とし、大口の買参入に大ブロックを優先的に割り振ることを特徴とする。
【００２１】
【発明の実施の形態】
図１は、本発明の実施形態を示す商品の受け渡し場所割り当て処理フローであり、花き市場の業務支援システムに適用した場合である。なお、この処理は、コンピュータ本体１または商品の受け渡し場所割り当て専用として増設する端末装置のソフトウェア構成で実現される。また、受け渡し場所割り当て処理のための情報として、図２における受け渡し所６を複数のブロックに割り振り、各ブロックを特定できる置き場マップを設定しておく。このマップは、例えば、図２においては格子状に割り振ったブロックＡ１〜ＤＮまでの符号を割り当てておく。
【００２２】
図１において、商品の受け渡し場所割り当て処理は、まず買参入が市場に来場した時に、買参入に予め定めた登録番号などから当日の入場登録をしておく（Ｓ１）。この後、競りを待ち、競りによる商品落札の情報を取得し（Ｓ２）、この商品を競り落とした買参入が当日最初の落札か否かをチェックする（Ｓ３）。
【００２３】
最初の落札である場合、置き場マップを元に空きの置き場（割り振りが未登録のブロック）を見つけ（検索し）、空きの置き場を落札された商品に対する落札者の置き場として新規登録する（Ｓ４）。最初の落札でない場合は、後述の処理で既に置き場が割り当てられることから、落札された商品に対する落札者の置き場を登録しておく。
【００２４】
落札者の置き場の登録後、花き配分場５で登録置き場をタグ（またはシール）Ｔ３（図２参照）に印字して当該落札商品に添付する（Ｓ５）。このタグ印字および添付は、コンピュータ本体１等による自動化または手作業でなされる。
【００２５】
タグＴ３の添付処理後、落札買参入の落札量（数値）を足し込む（Ｓ６）。この落札量について、当該買参入の置き場エリア（割り当てブロックのスペース）がＦＵＬＬ（満杯）か否かをチェックする（Ｓ７）。
【００２６】
このチェックで、ＦＵＬＬの場合、置き場マップを元に、次の空置き場を見つけ（検索し）、当該買参入に対する置き場登録を追加する（Ｓ８）。ＦＵＬＬでない場合は、既に登録済みの置き場に落札商品を搬入可能なため、空の置き場登録をしない。
【００２７】
上記の落札商品の置き場が決定した後、競り終了でない限り、次の商品に対する競りを待ち、ステップＳ２に戻る（Ｓ９）。
【００２８】
したがって、本実施形態によれば、競りを開始した時点から買参入に対する受け渡し場所を自動的にかつミスを起こすことなく登録することができ、買参入が競り落とした商品は確実に登録された置き場に配分することができ、その紛失や他の買参入に受け渡されてしまうことはなくなる。
【００２９】
また、予め確保しておいた置き場が競り商品で一杯になった場合、自動的に他の置き場を割り当てることができ、受け渡し所や配分場に商品があふれ、商品の傷みや競りの中断が発生することはなくなる。
【００３０】
また、買参入に対する置き場の割り振りは、競り開始時には入場登録した買参入に限り、しかも入場した全ての買参入に対して置き場を割り振らず、実際に競りを終えた商品に対して順次割り振ること、および割り振った置き場が満杯になったときには空の置き場を追加することにより、既存の受け渡し所を使ってそのスペースを有効利用することができる。
【００３１】
なお、実施形態では、マップによる置き場割り当ては、画一のブロックに順次決定する場合を示すが、ブロック構成として大小のものを設定し、受け渡し所の出口に近い位置にした大ブロックを大口の買参入に割り振ることで、受け渡し作業効率を高めると共に受け渡し所スペースを一層有効利用できる。また、置き場割り当てに柔軟性を持たせることは、優良の買参入や御得意の買参入に対して置き場割り当てを優先的に行うなどの便宜を図るのに利用できる。
【００３２】
また、実施形態では、花き市場の業務支援システムの場合を示すが、花き商品を野菜などの青果商品や漁などの海産物に置換した青果市場や魚市場の業務支援に適用して同等の作用効果を得ることができる。
【００３３】
【発明の効果】
以上のとおり、本発明によれば、花き市場などの卸売市場における商品の受け渡し所の割り振りとして、市場に入場した買参入に限ること、競りで商品を落札した買参入順に空き置き場を検索して決定すること、空き置き場が満杯になったときに次の空き置き場を追加するようにしたため、商品の受け渡し所の割り振りを柔軟的に行うことができ、以下の効果がある。
【００３４】
（１）競りを開始した時点から買参入に対する受け渡し場所を自動的にかつミスを起こすことなく登録することができ、買参入が競り落とした商品は確実に登録された置き場に配分することができ、その紛失や他の買参入に受け渡されてしまうことはなくなる。
【００３５】
（２）予め確保しておいた置き場が競り商品で一杯になった場合、自動的に他の置き場を割り当てることができ、受け渡し所や配分場に商品があふれ、商品の傷みや競りの中断が発生することはなくなる。
【００３６】
（３）買参入に対する置き場の割り振りは、競り開始時には入場登録した買参入に限り、しかも入場した全ての買参入に対して置き場を割り振らず、実際に競りを終えた商品に対して順次割り振ること、および割り振った置き場が満杯になったときには空の置き場を追加することにより、既存の受け渡し所を使ってそのスペースを有効利用することができる。
【図面の簡単な説明】
【図１】本発明の実施形態を示す商品の受け渡し所の割り振り処理フロー。
【図２】花き市場の業務支援システムの要部構成図。
【符号の説明】
１…業務支援コンピュータ本体
２…競り操作装置
３１、３Ｋ…応札機
４…花き集荷場
５…花き配分場
６…花き受け渡し所
【図１】
2004362365.tif 000003
【図２】
2004362365.tif 000004